(57)【要約】      （修正有）【課題】クリアランスの設定により、耐摩耗性を向上し、漏れによる効率を防止する。【解決手段】２段液封式ポンプ１０は、第１の端部で第１段ヘッド部に接続され第２の端部で第２段ヘッド部に接続される２チャンバ１６，１８から成る本体１４を有する。第１段および第２段ヘッド部は各々が、内側面、側面または端部を含む。各端部は、対向する本体の一側面に係合するように構成される。少なくとも１つの端部は、本体内のロータ１２と円錐との間に隙間（クリアランス）を設定するのを可能にするようにシムとして機能する複数のガスケット２００を受け入れるように設計された面を有する。各端部は、側壁を備えたボスを有する。ボスは、ポンプ本体によって受容される。【選択図】図２
2008045551.tif 000002
【特許請求の範囲】
【請求項１】
第１のヘッド部であって、入口と、出口と、前記第１のヘッド部を貫通するシャフト受容開口と、内側端とを有し、前記内側端はボスを含み、前記ボスは側壁を有する第１のヘッド部と、
入口と、出口と、内側端とを有する第２のヘッド部と、
前記第１のヘッド部の前記内側端に連結される第１の端部と、前記第２のヘッド部の前記内側端に連結される第２の端部とを有する本体とを備え、
前記本体の前記第１の端部は前記ボスを受容する液封式ポンプ。
【請求項２】
前記第１のヘッド部の出口は段間マニホールドの第１の端部に取り外し可能に連結され、
前記第２のヘッド部の入口は前記段間マニホールドの第２の端部に取り外し可能に連結される、請求項１に記載の液封式ポンプ。
【請求項３】
前記本体はそれに不可欠な前記マニホールドを有さない、請求項２に記載の液封式ポンプ。
【請求項４】
前記第１のヘッド部は前記液封式ポンプの第１段ヘッド部である、請求項１に記載の液封式ポンプ。
【請求項５】
前記第１のヘッド部の前記内側端はシム受容面を有し、前記シム受容面は前記ボスの一表面を形成しない、請求項１に記載の液封式ポンプ。
【請求項６】
前記シム受容面はそれを貫通する複数の開口を有する、請求項５に記載の液封式ポンプ。
【請求項７】
前記本体の一端壁と前記シム受容面との間に複数のシムを有する、請求項６に記載の液封式ポンプ。
【請求項８】
液封式ポンプ用のヘッド部であって、
切り込み部および凹部を有し、前記切り込み部は側壁を有する内側端と、
入口と、
出口と、
前記ヘッド部を貫通するシャフト受容開口とを備え、
前記シャフト受容開口と前記切り込み部の側壁との間に前記凹部を有する液封式ポンプ用ヘッド部。
【請求項９】
前記ヘッド部は２段液封式ポンプ用の第１段ヘッド部であり、前記ヘッド部は前記出口にマニホールド嵌め合いフランジを含む、請求項８に記載のヘッド部。
【請求項１０】
前記ヘッド部は２段液封式ポンプ用の第２段ヘッド部であり、前記ヘッド部は前記入口にマニホールド嵌め合いフランジを含み、前記入口は空気受容チャンバと液体受容チャンバに分離されている、請求項８に記載のヘッド部。
【請求項１１】
前記切り込みの側壁はその中に溝を有する、請求項８に記載のヘッド部。
【請求項１２】
前記内側端はシム受容面を有し、前記シム受容面と前記凹部との間にボスを有する、請求項８に記載のヘッド部。
【発明の詳細な説明】
【技術分野】
【０００１】
本発明は液封式（水封式を含む）ポンプに関し、より詳細には円錐型２段（２ステージ）液封式ポンプ、および真空を生じさせるために使用される２段液封式真空ポンプに関する。
【背景技術】
【０００２】
本発明はポンプに関する。特に、本発明は真空を生じさせるために使用される２段液封式ポンプに関する。液封式ポンプは、湿潤性工業環境で使用することができ、本質的に低摩擦であるため、耐用年数が長い。液封式ポンプは、偏心ケーシング内で自由に回転するインペラ（羽根車）によって、空気または気体を除去する。作動液体（通常は水）がポンプ内に供給され、遠心力によって飛ばされて内側ケーシング壁に沿って可動リング（封液）を形成し、封止されたポンプチャンバを形成する。また、封止液体もポンプ内に供給され、ロータと他の部品との間の隙間を封止する。工業的ユーザは、様々な用途にこれらの高度に信頼の置けるポンプを使用する。たとえば、湿潤紙パルプを鶏卵箱および苗床容器に成形する用途、処置用土壌から汚染された地下水を真空引きする土壌改善の用途、および、他の多くの用途がある。液封式ポンプの具体例は、特許文献１および特許文献２に見出すことができる。両特許の内容は、本出願において参照され導入される。
【特許文献１】米国特許第４，５２１，１６１号明細書（Ｏｌｓｅｎ等）
【特許文献２】米国特許第５，８９９，６８８号明細書（Ｓｈｅｎｏｉ等）
【発明の開示】
【０００３】
本発明に従う２段液封式ポンプは、第１の端部で第１段ヘッド部に接続され第２の端部で第２段ヘッド部に接続される２チャンバから成る本体を有する。例示的な実施形態において、第１段および第２段ヘッド部は各々が、内側面、側面または端部を含む。各端部は、対向する本体の一側面に係合するように構成される。少なくとも１つの端部は、本体内のロータと円錐との間に隙間（クリアランス）を設定するのを可能にするようにシムとして機能する複数のガスケットを受け入れるように設計された面を有する。クリアランスの設定を可能にするために、シムを使用してヘッド部の内側面と本体の端部との間に軸方向の間隔を形成する。円錐とロータとの間のクリアランスは、最大性能のために重要である。第１段および第２段のヘッド部はまた、各々が、その面に環状の切り込み（ｒａｂｂｅｔ）若しくはボスを有する。ボスは、要求のより厳しい用途における封止を可能にするためにＯリングを受け入れるように構成される。
【０００４】
例示的な実施形態において、第１段および第２段のヘッド部は、本体から独立した取り外し可能な段間マニホールドによって相互接続される。段間マニホールドは、効率を改善するための空気／水分離構造を内蔵する。取り外し可能な（リムーバブル）段間マニホールドを使用する場合には、ヘッド部および本体の鋳造を簡略化でき、より良好なコアサポート、より良好な可鍛性、及び鋳造欠陥率の低下に寄与し、結果としてコストが低下する。段間マニホールドは、第１段（第１ステージ）から送出される空気と水を分離するように変断面設計を有する。取り外し可能なマニホールドにより、ヘッド部上でのＯリングの交換使用を可能にする。取り外し可能なマニホールドは、ヘッド部上の対応するフランジ面に対するＯリングまたはガスケット封止用のフランジを有する。フランジのボルト用の貫通穴は、端移動（ｅｎｄ ｔｒａｖｅｌ）設定の変動に適応するようなサイズを有する。
【０００５】
例示的な実施形態において、第１段の円錐は、第１段円錐に形成された２個のタイミング通気口から構成される補助排出ポートを有する。この通気口は、低速安定性を提供し、これにより、水分処理能力が改善され油圧ノイズが低減される。当該通気口は、高真空能力が影響されないように配置される。また、この通気口は、低真空でのホッギング（ｈｏｇｇｉｎｇ）状態下でロータバケットの過剰圧縮を減少させ、それによって、低真空での所要ピーク電力を減少させる。
【０００６】
本発明の追加的特徴は、下記の例示的な実施形態の詳細な説明を考慮すれば、当業者に明らかになるであろう。
【発明を実施するための最良の形態】
【０００７】
連続気流に影響を与えることなく大量の材料キャリーオーバーを処理するように構成された２段（若しくは、２ステージ）液封式真空ポンプ１０が図示される。ポンプ１０は、本体１４に対して偏心配置されるロータ１２を含む。本体１４は、チャンバ１６ａを取り囲む第１のチャンバ・ハウジング１６を有する。本体は、さらに、チャンバ１８ａを取り囲む第２のチャンバ・ハウジング１８を有する。図２に示されるように、第１段（第１ステージ）３８は図の右側にあり、第２段（第２ステージ）３６は図の左側にある。マニホールド３４は、第１段３８と第２段３６を接続する。
【０００８】
本体１４は、第１段３８を第２段３６から分離する中間円形壁４８を含むロータ１２を収容するように構成される。ロータ１２は、駆動シャフト４９に連結され、力が入力シャフト５０に加えられたときに駆動シャフト４９によって回転させられる。ロータ１２は、第１段ブレード５２および第２段ブレード５４を含む。ロータ１２及び駆動シャフト４９は、第１のチャンバ１６ａ内に空間５６が形成され且つ第２のチャンバ１８ａ内に空間５８が形成されるように、本体１４内に配置される。
【０００９】
また、本体１４内には第１段及び第２段の円錐６０、６２が配置される。第１段の円錐６０は第１のチャンバ１６ａ内に配置され、第２段の円錐６２は第２のチャンバ１８ａ内に配置される。第１段ヘッド部３２は、第１段ハウジング１６の端２０１で本体１４に連結される。第２段ヘッド部３３は、第２段ハウジング１８の端２０６で本体１４に連結される（例えば、図２参照）。
【００１０】
第１段ヘッド部またはエンドシールド３２は、本体１４の第１のチャンバ・ハウジング１６に連結されるように構成される。第１段ヘッド部３２の面７９には、第１段ヘッド部３２を本体１４の第１のチャンバ・ハウジング１６に固定するための複数の開口９２が形成される。第１段の面、エンドまたは側面７９は、表面１７９を有し、表面１７９はシム２００を受け入れるように構成される。シム２００は、第１の本体１４の端壁２０１と内側面の表面１７９との間に軸方向の間隔または距離を生じさせる。この間隔は、円錐６０、６２とロータ１２との間に端移動クリアランスを設定することを可能にする。円錐型液封式ポンプにおいて、ロータ１２と第１段および第２段円錐６０、６２との間に移動クリアランスを適切に設定することは重要である。もし、これらの構成要素が適切に配置されない場合には早期摩耗および内部漏れが生じるおそれがあり、それにより、真空ポンプの効率が低下するおそれがある。
【００１１】
また、第１段ヘッド部３２は面７９上に環状切り込み（ｒａｂｂｅｔ）若しくはボス１１０を有し、１１０はＯリング２０２を受け入れて第１段ヘッド部３２と本体１４との間の封止を可能とするように構成される。Ｏリング２０２はボス１１０の円周状側壁２０３と本体１４の端方向の内部側壁２０４との間を封止する。Ｏリング２０２を受け入れる溝２０３ａが側壁２０３にある。段間マニホールド３４が第１段ヘッド部３２から取り外せるので、Ｏリングを交換使用することが容易にできる。
【００１２】
第１段ヘッド部３２は、例えば、図４および図５に示されるように、第１段円錐６０のフランジ８２を受け入れるように構成される凹所８０を有する。凹所８０は、第１段円錐６０を第１段ヘッド部３２に取り付け可能にする複数の開口８４を有する。また、第１段ヘッド部３２は、ロータシャフト４９を受け入れるように構成された中心部開口８６を有する。凹所８０は、開口８６とボス側壁２０３との間にある。また、第１段ヘッド部３２は封水（封液）供給通路８８（図７ａ参照）を有し、封水が第１段円錐通路８８ａ（図６ａ参照）に入ることを可能にする。さらに、第１段ヘッド部３２は入口ポート７０と流体連通する空気入口２６を有する（図７ａ参照）。また、第１段ヘッド部３２は排出ポート開口６６（図７ａ参照）と流体連通する排出ポート３０（図５参照）を有する。
【００１３】
また、第１段ヘッド部３２はポンプ１０の固定を可能にする一対のブラケット部材９０（図７ｂ参照）を有する。
【００１４】
第１段円錐６０は通路２０を有し（図６ａ、６ｂ参照）、通路２０に対して入口ポート７０（図７ａ）が開口している。また、第１段円錐６０は排出ポート開口６６（図７ａ参照）に対して開口する主排出ポート６４（図６ａ，６ｃ参照）を有する。さらに、第１段円錐６０は補助排出ポート６８（図６ａ，６ｃ参照）を有する。補助排出ポート６８は、低速安定性のための２つの時間調節通気口からなり、当該通気口は水処理能力を向上させ、結果として水圧ノイズを減少させる。補助排出ポート６８は高真空能力が影響されないように配置される。また通気口は、低真空でのホッギング（ｈｏｇｇｉｎｇ）状態下で、ロータ１２のブレード５２間のロータバケット若しくは空間２８（図３参照）における過剰な圧縮を減少させる。付随して、低真空での所要ピーク電力もまた減少する。ポンプ１０は、第１段円錐６０がこれらの通気口を備えることで、通常先端速度よりも低速で作動できる。また、円錐６０は水圧ノイズを減少するために直線状に整列配置された４個のスキュー穴６７（図６ｃ参照）を有する。
【００１５】
第２段ヘッド部またはエンドシールド３３は、取入ポート７１ａ、７１ｂ（図５参照）を有し、これらは段間マニホールド３４から圧縮空気を受け入れるように構成された第１のチャンバ７１ａと、段間マニホールド３４から水を受け入れるように構成された第２のチャンバ７１ｂとを有する。また、第２段ヘッド部３３は出口ポート８１を有する。第２段ヘッド部３３は、本体１４の第２のチャンバ・ハウジング１８に連結されるように構成される。
【００１６】
第２段ヘッド部３３は面７９ａ上に環状切り込み（ｒａｂｂｅｔ）またはボス１１０ａを有し（図８ｂ参照）、１１０ａはＯリング２０２を受け入れて第２段ヘッド部３３と本体１４との間の封止を可能にするように構成される。段間マニホールド３４は第２段ヘッド部３３から取り外せるので、Ｏリング２０２を交換使用することが容易にできる。Ｏリング２０２は、第１段ヘッド部３２と同一方式で、即ち、ボス１１０ａの側壁２０７（図８ｂ参照）と本体１４の内部側壁２０８（図２参照）との間を封止する。Ｏリング２０２は溝２１０（図８ｃ参照）内に着座する。
【００１７】
第１段および第２段ヘッド部３２、３３は、例えば、図２に示されるように、駆動シャフト４９を支持するように構成される外部軸受キャリア９４、９６を有する。軸受キャリア９４、９６は、駆動シャフト４９を支持するように構成される軸受９８、１００を含む。駆動シャフト４９に沿う漏れを防止して第１段および第２段ヘッド部３２、３３を封止するために、第１段および第２段ヘッド部３２、３３では、ロータ１２とポンプ１０の残部との間にシール１０２、１０４（図２参照）を使用している。
【００１８】
排出ポート３０および取入ポート７１ａ、７１ｂ（図５参照）の両者は、嵌め合わせ面７７（図７ｃ，７ｄ参照）、７８（図８ｂ参照）を含み、７７及び７８は、Ｏリングまたはガスケットを受け入れてポート３０および７１ａ、７１ｂを段間マニホールド３４に対して封止するように構成される。嵌め合わせ面７７、７８には、第１第および第２段ヘッド部３２、３３の端移動設定の変動に適応するような大きさを有する複数の開口７６が形成できる。段間マニホールド３４は取り外し可能であるため、費用効果的な製造のために軽量で耐食性の材料で作られるという選択肢を提供する。
【００１９】
ポンプ１０のモジュール設計は、第１段内側面７９（図７ａ参照）と本体端壁２０１（図３参照）との間にガスケットが使用されることを可能にする。ガスケットは、電力産業での用途等の一般的な用途においてポンプが使用されるときに、シム２００およびガスケット２００（図３参照）としての二重の目的を果たす。また、同モジュール設計は、化学産業での用途等の要求のより厳しい用途のために、同一鋳造を使用するが何らかの追加的な機械加工を備えるＯリングの使用を可能にする。要求の厳しい産業用途では、シム２００は端移動を設定するためだけに使用され、Ｏリング２０２は第１段ヘッド部３２／第２段ヘッド部３３と本体１４との間を封止するように使用される。
【００２０】
ガスケットのみの構成、即ち、Ｏリングがない場合には、第１段または第２段ヘッド部上のガスケットは端移動クリアランスを設定するためのシム（ｓｈｉｍ）としても機能する。第２段ヘッド部上に使用されるガスケット／シムは何れも、導管２０５（図８ａ，８ｂ，８ｃ参照）の周りを封止するように構成されなければならない。この構成に使用されるシムまたはガスケットは何れも、Ｏリング２０２の使用を妨げないであろうが、一般的に、封止用にガスケットが使用されるときにはＯリングは要望されない。従って、Ｏリング２０２を省略することもある。逆に、封止用のＯリングを使用するときには、封止用にガスケットを使用することは所望されない。使用されるガスケットは何れもシムとして完全に機能するであろう。
【００２１】
或るＯリングの構成では、図示された表面１７９ａを有する第２段の内側面端若しくは側面７９ａは、円錐６０、６２とロータ１２との間の端移動の設定を可能にするためにシムを受け入れるようには構成されていない。第２段ヘッド部の作動液体導管２０５はシムの効果的な使用を妨げる。導管２０５は、Ｏリング２０９（図３参照）を受け入れる溝２０５ａで縁取られている。Ｏリング２０９は、本体１４の端面２０６（図３参照）に対して導管２０５を封止する。もしシムが使用される場合には、端面２０６に対して導管２０５を封止するＯリングの能力を妨げるであろう。従って、Ｏリング構成では、第２段ヘッド部３３上にシムを使用することを可能にするために、シムの使用に適合するように第２段ヘッド部３３を再構成しなければならないであろう。例えば、導管２０５を除去し、代替の導管構成を使用することができる。
【００２２】
ポンプ動作において、ロータ１２が回転することにより、空気または気体は第１段ヘッド部の入口２６内に引き込まれ、矢印１１２（図４参照）で示される方向に進む。空気は、入口ポート７０（図７ａ参照）を通じて第１円錐通路２０（図６ａ参照）に入る。回転が進むにつれて、液封（環状の封止液体）用の液体（図示せず）は、空気または気体を圧縮するロータバケット２８（図３参照）内に送り込まれ、次いで、気体および液体の混合物が、矢印１１４（図７ａ参照）によって示された方向に第１段ヘッド部３２のポート６６を通じて円錐排出ポート６４（図６ａ参照）から送り出される。この気体および液体の混合物は、ポート３０を通って第１段ヘッド部３２から排出され、段間マニホールド３４に入り、矢印１１６（図４参照）で示されるように進む。
【００２３】
上記気体／液体混合物がマニホールド３４に沿って移動するにつれて、この混合物は、
底面部分４６に通じて下方に傾斜するランプ４４によって特徴づけられる拡張領域４２（図４参照）に入る。底面部分４６は上方部分４７に対向している。拡張領域４２において、混合物の液体部分は底面部分４６へ向って落下し、空気部分は液体上の上方部分４７にとどまる。この分離は、速度の減少および重力効果に起因して発生する。空気はチャンバ７１ａ（図５参照）を通じて第２段ヘッド部３３に入る。（分離された）液体はチャンバ７１ｂ（図５参照）を通じて第２段ヘッド部３３に入る。矢印１１８は、段間マニホールド３４から第２段ヘッド部３３内へ送入される空気を示している。矢印１２０は、段間マニホールド３４から第２段ヘッド部３３内へ送入される水を示している。
【００２４】
実施形態は図面および前述の説明に例示され述べられているが、そのような例示および説明は、例示的なものであるとみなされ、特に制限的なものではなく、例示的な実施形態のみが示され述べられ且つ本発明の思想に入るすべての変更および修正例は保護されることが望まれることが理解される。出願人は、開示の実施形態の例示として意図される説明および図面を提供しており、これらの実施形態に対して開示の制限を含むかまたは暗示するとして解釈されるようには意図されない。明細書に述べられた様々な特徴から発生する本発明の開示の複数の利点がある。開示の代替の実施形態は、述べられた特徴のすべてを含まなくてもよいが、依然として、そのような特徴の利点の少なくともいくつかから利益を得ることに注意されたい。当業者は、過度の実験なしで、開示および関連方法の自己の実施を容易に考案してもよく、それらは、開示の１つまたはそれ以上の特徴を組み込み、且つ、本開示および添付の特許請求の範囲の精神および範囲内に入る。
【図面の簡単な説明】
【００２５】
【図１】それぞれ第１の端部で第１段ヘッド部に接続され、第２の端部で第２段ヘッド部に接続される２チャンバから成る本体を有する２段液封式ポンプの斜視図であり、第１段および第２段ヘッド部は、取り外し可能な段間マニホールドによって相互接続される。
【図２】ポンプ長手方向軸に沿い第１段入口を通じて得られる変則的な断面図であり、本体の第１および第２のチャンバおよび第１段および第２の段ヘッド部が示され、本体およびヘッド部を貫通し延びる駆動シャフトがさらに示され、このシャフトは一対の円錐間に配置される２段ロータに連結されている。
【図３】図１に示された液封式ポンプの分解図である。
【図４】第１段ヘッド部に対する第１段円錐を示すために、本体、シャフトおよびロータをポンプから取り外した状態の２段液封式ポンプの斜視図であり、段間マニホールドを通る空気および水の流れがさらに示される。
【図５】図４に類似した斜視図であるが、段間マニホールドが第１段および第２段ヘッド部から取り外されており、段間マニホールドから空気および水を受け入れる第２段ヘッド部の２チャンバから成る入口ポートがさらに示される。
【図６ａ】図４に示された第１段円錐の円錐部材の斜視端面図である。
【図６ｂ】図６ａに示された円錐の側部斜視図である。
【図６ｃ】図６ａに示された円錐の側部平面図である。
【図７ａ】空気入口ポートおよび段間マニホールドへの出口ポートを示す第１段ヘッド部の内側側部の斜視図であり、第１段ヘッド部において更に、円錐とロータ間のクリアランスを設定しシム入れ（詰め木）するための面と、Ｏリング封止用のヘッド部上に設けられる環状の切り込み（ｒａｂｂｅｔ）若しくはボスが示される。
【図７ｂ】第１段ヘッド部の外部側面を示す平面背面図である。
【図７ｃ】７ｃ−７ｃ線に沿って切り取られた第１段ヘッド部を示す断面図である。
【図７ｄ】第１段ヘッド部の排出ポートを示す平面図である。
【図８ａ】第２段ヘッド部の内部側面の平面正面図である。
【図８ｂ】第２段ヘッド部の内部側面の側面斜視図である。
【図８ｃ】８ｃ−８ｃ線に沿って切り取られた第２段ヘッド部を示す断面図である。
【図９ａ】段間マニホールドの平面端面図である。
【図９ｂ】９ｂ−９ｂ線に沿って切り取られた図９ａの段間マニホールドを示す断面図である。
【符号の説明】
【００２６】
９  駆動シャフト
１０  ２段液封式真空ポンプ
１２  ロータ
１４  本体
１６  第１のチャンバ・ハウジング
１６ａ  チャンバ
１８  第２のチャンバ・ハウジング
１８ａ  チャンバ
２０  第１円錐通路
２６  空気入口
２８  ロータバケット
３０  排出ポート
３２  第１段ヘッド部
３３  第２段ヘッド部
３４  段間マニホールド
３６  第２段
３８  第１段
４２  拡張領域
４４  下方に傾斜するランプ
４６  底面部分
４７  上方部分
４８  中間円形壁
４９  駆動シャフト
５０  入力シャフト
５２  第１段ブレード
５４  第２段ブレード
５６，５８  空間
６０  第１段円錐
６２  第２段円錐
６４  主排出ポート
６６  排出ポート開口
６７  スキュー穴
６８  補助排出ポート
７０  入口ポート
７１ａ  第１のチャンバ（取入ポート）
７１ｂ  第２のチャンバ（取入ポート）
７６  開口
７７，７８  嵌め合わせ面
７９，７９ａ  面
８０  凹所
８１  出口ポート
８２  フランジ
８４  開口
８６  中心部開口
８８  封水供給通路
８８ａ  第１段円錐通路
９０  ブラケット部材
９２  開口
９４，９６  外部軸受キャリア
９８，１００  軸受
１０２，１０４  シール
１１０，１１０ａ  環状切り込み（ｒａｂｂｅｔ）若しくはボス
１１２，１１４，１１６，１１８，１２０  矢印
１７９，１７９ａ  表面
２００  シム（ガスケット）
２０１  端（端壁）
２０２  Ｏリング
２０３  円周状側壁
２０３ａ  溝
２０４  内部側壁
２０５  導管
２０５ａ  溝
２０６  端（端面）
２０７  側壁
２０８  内部側壁
２０９  Ｏリング
２１０  溝
【図１】
2008045551.tif 000003
【図２】
2008045551.tif 000004
【図３】
2008045551.tif 000005
【図４】
2008045551.tif 000006
【図５】
2008045551.tif 000007
【図６ａ】
2008045551.tif 000008
【図６ｂ】
2008045551.tif 000009
【図６ｃ】
2008045551.tif 000010
【図７ａ】
2008045551.tif 000011
【図７ｂ】
2008045551.tif 000012
【図７ｃ】
2008045551.tif 000013
【図７ｄ】
2008045551.tif 000014
【図８ａ】
2008045551.tif 000015
【図８ｂ】
2008045551.tif 000016
【図８ｃ】
2008045551.tif 000017
【図９ａ】
2008045551.tif 000018
【図９ｂ】
2008045551.tif 000019